(57)【要約】【課題】操作対象装置３００の被操作履歴を容易に復元できる操作履歴管理システム１００および操作履歴管理方法を提供すること。【解決手段】操作対象装置３００に対する操作履歴を記憶する操作履歴管理装置２００と、操作履歴管理装置２００による被操作履歴を記憶する操作対象装置３００とを備えた操作履歴管理システム１００において、操作履歴管理装置２００は、表示された前記操作履歴の中で復元する範囲の指定を受け、この指定を受けた範囲の中の最古の操作履歴と操作履歴管理装置２００の第１識別情報とを操作対象装置３００へ送る復元範囲制御ＧＵＩ手段２１０を備え、操作対象装置３００は、最古の操作履歴および第１識別情報と、被操作履歴およびこの被操作履歴の操作を行った操作履歴管理装置２００の第２識別情報とに基づいて被操作履歴を復元する被操作履歴復元手段３１０を備えたことを特徴とするもの。【選択図】図１
2010211775.tif 000002
【特許請求の範囲】
【請求項１】
操作対象装置に対する操作履歴を記憶する操作履歴管理装置と、この操作履歴管理装置による被操作履歴を記憶する前記操作対象装置とを備えた操作履歴管理システムにおいて、
前記操作履歴管理装置は、表示された前記操作履歴の中で復元する範囲の指定を受け、この指定を受けた範囲の中の最古の操作履歴と前記操作履歴管理装置の第１識別情報とを前記操作対象装置へ送る復元範囲制御ＧＵＩ手段を備え、
前記操作対象装置は、前記最古の操作履歴および前記第１識別情報と、前記被操作履歴およびこの被操作履歴の操作を行った操作履歴管理装置の第２識別情報とに基づいて前記被操作履歴を復元する被操作履歴復元手段を備えた、
ことを特徴とする操作履歴管理システム。
【請求項２】
前記被操作履歴復元手段は、前記最古の操作履歴と前記被操作履歴との比較結果に基づいて前記被操作履歴の復元範囲を決定し、この復元範囲の被操作履歴の操作を行った操作履歴管理装置の前記第２識別情報と前記第１識別情報とが一致する場合、前記復元範囲の被操作履歴を前記最古の操作履歴に復元することを特徴とする請求項１に記載の操作履歴管理システム。
【請求項３】
前記被操作履歴復元手段は、前記最古の操作履歴と前記被操作履歴との比較結果に基づいて前記被操作履歴の復元範囲を決定し、この復元範囲の被操作履歴の操作を行った操作履歴管理装置の前記第２識別情報と前記第１識別情報とが一致しない場合に不一致信号を前記操作履歴管理装置に送り、前記不一致信号に基づく前記操作履歴管理装置から受け取った復元指示信号に応じて前記復元範囲の被操作履歴を前記最古の操作履歴に復元することを特徴とする請求項１または２に記載の操作履歴管理システム。
【請求項４】
前記復元範囲制御ＧＵＩ手段は、前記不一致信号に基づく復元指示信号を前記操作対象装置に送らない場合、表示された前記操作履歴の表示画面を閉じることを特徴とする請求項３に記載の操作履歴管理システム。
【請求項５】
前記復元範囲制御ＧＵＩ手段は、復元された前記被操作履歴を表示させることを特徴とする請求項１から４のいずれか一項に記載の操作履歴管理システム。
【請求項６】
操作対象装置に対する操作履歴を記憶する操作履歴管理装置と、この操作履歴管理装置による被操作履歴を記憶する前記操作対象装置とを用いた操作履歴管理方法において、
表示された前記操作履歴の中で復元する範囲の指定を受ける工程と、
この指定を受けた範囲の中の最古の操作履歴と前記操作履歴管理装置の第１識別情報とを前記操作対象装置へ送る工程と、
前記最古の操作履歴および前記第１識別情報と、前記被操作履歴およびこの被操作履歴の操作を行った操作履歴管理装置の第２識別情報とに基づいて前記被操作履歴を復元する工程と、
を有することを特徴とする操作履歴管理方法。
【請求項７】
前記被操作履歴を復元する工程は、
前記最古の操作履歴と前記被操作履歴との比較結果に基づいて前記被操作履歴の復元範囲を決定する工程と、
この復元範囲の被操作履歴の操作を行った操作履歴管理装置の前記第２識別情報と前記第１識別情報とが一致する場合、前記復元範囲の被操作履歴を前記最古の操作履歴に復元する工程と、
を有することを特徴とする請求項６に記載の操作履歴管理方法。
【請求項８】
前記被操作履歴を復元する工程は、
前記最古の操作履歴と前記被操作履歴との比較結果に基づいて前記被操作履歴の復元範囲を決定する工程と、
この復元範囲の被操作履歴の操作を行った操作履歴管理装置の前記第２識別情報と前記第１識別情報とが一致しない場合に不一致信号を前記操作履歴管理装置に送る工程と、
前記不一致信号に基づく前記操作履歴管理装置から受け取った復元指示信号に応じて前記復元範囲の被操作履歴を前記最古の操作履歴に復元する工程と、
を有することを特徴とする請求項６または７に記載の操作履歴管理方法。
【発明の詳細な説明】
【技術分野】
【０００１】
本発明は、操作履歴管理システムおよび操作履歴管理方法に関し、特に、操作対象装置の被操作履歴を容易に復元する技術に関するものである。
【背景技術】
【０００２】
化学プラントの圧力、温度、流量などを測定し、測定値を出力する伝送器が知られている。この伝送器に対して内部パラメータの設定または調整などの操作を行い、この操作履歴を記憶する操作履歴管理装置と、操作履歴管理装置による操作の履歴（以下、「被操作履歴」という）を記憶する伝送器（以下、「操作対象装置」という）と、を備えた操作履歴管理システムの構成について、図６の構成図を用いて説明する。
【０００３】
図６において、操作履歴管理システム１は、操作履歴管理装置１０および操作対象装置２０を備える。操作履歴管理装置１０および操作対象装置２０は、ネットワーク回線として使用されるケーブルまたは無線によって接続され、必要な信号の送受を行う。
【０００４】
操作履歴管理装置１０は、操作指示手段１１、操作履歴記憶手段１２、操作履歴表示グラフィカルユーザーインターフェース手段１３（以下、「操作履歴表示ＧＵＩ手段」という）、表示手段１４および前回操作履歴復元手段１５を備える。
【０００５】
操作指示手段１１は、上位装置（図示しない）またはユーザーなどから外部操作指示信号ＥＸＴＳを受け、指示された操作を操作対象装置２０に実行させるための操作処理信号を操作対象装置２０の操作処理手段２１に送るとともに、この操作内容を操作履歴として操作履歴記憶手段１２に送る。
【０００６】
操作履歴記憶手段１２は、操作指示手段１１から受け取った操作履歴を記憶し、記憶されている操作履歴を操作履歴表示ＧＵＩ手段１３に送る。
【０００７】
操作履歴表示ＧＵＩ手段１３は、操作履歴記憶手段１２から受け取った操作履歴を表示手段１４に送り、表示させる。
【０００８】
前回操作履歴復元手段１５は、上位装置（図示しない）またはユーザーなどから外部復元指示信号ＥＸＴＧを受け、外部復元指示信号ＥＸＴＧに基づいて、現在の操作内容を前回の操作内容に復元するための信号を操作履歴記憶手段１２に送る。
【０００９】
さらに、前回操作履歴復元手段１５は、操作対象装置２０の被操作履歴を前回の操作内容に復元させる指示信号を、操作対象装置２０の前回被操作履歴復元手段２３に送る。
【００１０】
一方、操作対象装置２０は、操作処理手段２１、被操作履歴記憶手段２２、前回被操作履歴復元手段２３および操作スイッチ手段２４を備える。
【００１１】
操作処理手段２１は、操作履歴管理装置１０の操作指示手段１１から操作処理信号を受け、操作処理信号に基づいて設定値変更などの操作を行うとともに、この操作内容を被操作履歴として被操作履歴記憶手段２２に送る。
【００１２】
被操作履歴記憶手段２２は、操作処理手段２１から受け取った被操作履歴を記憶する。
【００１３】
前回被操作履歴復元手段２３は、操作履歴管理装置１０の前回操作履歴復元手段１５から被操作履歴を復元させる指示信号を受け、この指示信号に基づいて、被操作履歴を前回の操作内容に復元するための信号を被操作履歴記憶手段２２に送る。
【００１４】
ユーザーなどは、操作対象装置２０の設置場所においてゼロ点調整などの操作を行うため、操作スイッチ手段２４のスイッチをオンにする。操作スイッチ手段２４は、このオン動作に基づいて、ゼロ点調整などの操作を実行させるための操作処理信号を操作処理手段２１に送る。
【００１５】
操作処理手段２１は、この操作処理信号に基づいてゼロ点調整などの操作を行うとともに、この操作内容を被操作履歴として被操作履歴記憶手段２２に送り、被操作履歴記憶手段２２は、この被操作履歴を記憶する。
【００１６】
つぎに、前回操作履歴復元手段１５および前回被操作履歴復元手段２３による復元動作の例として、現在の設定値を変更前の設定値（前回の設定値）に戻す動作について説明する。
【００１７】
ユーザは、誤って設定値を変更（誤操作）を行ってしまった場合、表示手段１４に表示された操作履歴を見ながら、前回の設定値に戻すことを指示する外部復元指示信号ＥＸＴＧを前回操作履歴復元手段１５に送る。
【００１８】
外部復元指示信号ＥＸＴＧを受けた前回操作履歴復元手段１５は、操作履歴の復元信号を操作履歴記憶手段１２に送り、操作履歴記憶手段１２は、この復元信号に基づいて、操作履歴の中の現在の設定値を前回の設定値に復元する。
【００１９】
さらに、前回操作履歴復元手段１５は、被操作履歴を復元させる指示信号を、操作対象装置２０の前回被操作履歴復元手段２３に送る。
【００２０】
前回被操作履歴復元手段２３は、この指示信号に基づいて、被操作履歴の復元信号を被操作履歴記憶手段２２に送る。
【００２１】
被操作履歴記憶手段２２は、この復元信号に基づいて、被操作履歴の中の現在の設定値を前回の設定値に復元する。
【００２２】
このように、ユーザは、戻したい設定値まで一つ一つ外部復元指示信号ＥＸＴＧを送る必要がある。例えば、４つ前の設定値に戻したい場合、外部復元指示信号ＥＸＴＧを４回送る必要がある。
【００２３】
また、操作履歴管理装置１０とは別の操作履歴管理装置（図示しない）を操作対象装置２０に接続して、上述した操作履歴管理を実現することもできる。
【００２４】
さらに、操作履歴管理装置１０に複数台の操作対象装置（図示しない）を接続して、上述した操作履歴管理を実現することもできる。
【００２５】
なお、特許文献１には、被操作履歴を記憶し、変更前の設定値に戻すことができる伝送器について記載されている。
【先行技術文献】
【特許文献】
【００２６】
【特許文献１】特開２００５−７０９３６号公報
【発明の概要】
【発明が解決しようとする課題】
【００２７】
しかしながら、ユーザは、誤操作を行ってしまい、操作前の状態（値）に戻したい場合、表示手段１４に表示された操作履歴を確認しながら、キーボードまたはマウスなどの入力手段から一つ一つ外部復元指示信号ＥＸＴＧを送って戻さなければならない。このため、ユーザにとって、復元するための操作性が悪く、復元するための工数がかかる、という問題がある。
【００２８】
また、操作対象装置２０が、操作履歴管理装置１０とは別の操作履歴管理装置（図示しない）によって操作された場合、または操作対象装置２０内部の操作スイッチ手段２４によって操作された場合、操作対象装置２０はこれらの被操作履歴を記憶する。しかし、操作履歴管理装置１０はこの操作に関係しないため、操作履歴管理装置１０の操作履歴記憶手段１２の操作履歴と、操作対象装置２０の被操作履歴記憶手段２２の被操作履歴とは一致しなくなる。このため、操作履歴管理装置１０は、操作対象装置２０の被操作履歴を一元的に管理できなくなり、操作対象装置２０の被操作履歴を完全に復元できない、という問題がある。
【００２９】
本発明の目的は、操作対象装置の被操作履歴を容易に復元できる操作履歴管理システムおよび操作履歴管理方法を提供することである。
【課題を解決するための手段】
【００３０】
このような目的を達成するために、請求項１の発明は、
操作対象装置に対する操作履歴を記憶する操作履歴管理装置と、この操作履歴管理装置による被操作履歴を記憶する前記操作対象装置とを備えた操作履歴管理システムにおいて、
前記操作履歴管理装置は、表示された前記操作履歴の中で復元する範囲の指定を受け、この指定を受けた範囲の中の最古の操作履歴と前記操作履歴管理装置の第１識別情報とを前記操作対象装置へ送る復元範囲制御ＧＵＩ手段を備え、
前記操作対象装置は、前記最古の操作履歴および前記第１識別情報と、前記被操作履歴およびこの被操作履歴の操作を行った操作履歴管理装置の第２識別情報とに基づいて前記被操作履歴を復元する被操作履歴復元手段を備えた、
ことを特徴とする。
請求項２の発明は、請求項１に記載の発明において、
前記被操作履歴復元手段は、前記最古の操作履歴と前記被操作履歴との比較結果に基づいて前記被操作履歴の復元範囲を決定し、この復元範囲の被操作履歴の操作を行った操作履歴管理装置の前記第２識別情報と前記第１識別情報とが一致する場合、前記復元範囲の被操作履歴を前記最古の操作履歴に復元することを特徴とする。
請求項３の発明は、請求項１または２に記載の発明において、
前記被操作履歴復元手段は、前記最古の操作履歴と前記被操作履歴との比較結果に基づいて前記被操作履歴の復元範囲を決定し、この復元範囲の被操作履歴の操作を行った操作履歴管理装置の前記第２識別情報と前記第１識別情報とが一致しない場合に不一致信号を前記操作履歴管理装置に送り、前記不一致信号に基づく前記操作履歴管理装置から受け取った復元指示信号に応じて前記復元範囲の被操作履歴を前記最古の操作履歴に復元することを特徴とする。
請求項４の発明は、請求項３に記載の発明において、
前記復元範囲制御ＧＵＩ手段は、前記不一致信号に基づく復元指示信号を前記操作対象装置に送らない場合、表示された前記操作履歴の表示画面を閉じることを特徴とする。
請求項５の発明は、請求項１から４のいずれか一項に記載の発明において、
前記復元範囲制御ＧＵＩ手段は、復元された前記被操作履歴を表示させることを特徴とする。
請求項６の発明は、
操作対象装置に対する操作履歴を記憶する操作履歴管理装置と、この操作履歴管理装置による被操作履歴を記憶する前記操作対象装置とを用いた操作履歴管理方法において、
表示された前記操作履歴の中で復元する範囲の指定を受ける工程と、
この指定を受けた範囲の中の最古の操作履歴と前記操作履歴管理装置の第１識別情報とを前記操作対象装置へ送る工程と、
前記最古の操作履歴および前記第１識別情報と、前記被操作履歴およびこの被操作履歴の操作を行った操作履歴管理装置の第２識別情報とに基づいて前記被操作履歴を復元する工程と、
を有することを特徴とする。
請求項７の発明は、請求項６に記載の発明において、
前記被操作履歴を復元する工程は、
前記最古の操作履歴と前記被操作履歴との比較結果に基づいて前記被操作履歴の復元範囲を決定する工程と、
この復元範囲の被操作履歴の操作を行った操作履歴管理装置の前記第２識別情報と前記第１識別情報とが一致する場合、前記復元範囲の被操作履歴を前記最古の操作履歴に復元する工程と、
を有することを特徴とする。
請求項８の発明は、請求項６または７に記載の発明において、
前記被操作履歴を復元する工程は、
前記最古の操作履歴と前記被操作履歴との比較結果に基づいて前記被操作履歴の復元範囲を決定する工程と、
この復元範囲の被操作履歴の操作を行った操作履歴管理装置の前記第２識別情報と前記第１識別情報とが一致しない場合に不一致信号を前記操作履歴管理装置に送る工程と、
前記不一致信号に基づく前記操作履歴管理装置から受け取った復元指示信号に応じて前記復元範囲の被操作履歴を前記最古の操作履歴に復元する工程と、
を有することを特徴とする。
【発明の効果】
【００３１】
本発明によれば、操作履歴で指定された復元範囲の中の最古の操作履歴、被操作履歴および操作履歴管理装置の識別情報に基づいて被操作履歴を復元することによって、容易に復元範囲を指定して被操作履歴を復元することができる。このため、ユーザにとって、復元するための操作性が良くなり、復元するための工数が短縮できる。
【００３２】
また、操作対象装置が、本操作履歴管理装置とは別の操作履歴管理装置によって操作された場合、本操作履歴管理装置から操作対象装置へ送る復元指示信号によって、別の操作履歴管理装置による被操作履歴も復元することができる。このため、本操作履歴管理装置は、操作対象装置の被操作履歴を一元的に管理して、復元することができる。
【図面の簡単な説明】
【００３３】
【図１】本発明を適用した操作履歴管理システムの構成図の例である。
【図２】本発明を適用した操作履歴管理装置の操作履歴表示ＧＵＩ手段および復元範囲制御ＧＵＩ手段の動作フローチャート図の例である。
【図３】本発明を適用した操作対象装置の被操作履歴復元手段の動作フローチャート図の例である。
【図４】本発明を適用した復元範囲制御ＧＵＩ画面の起動時の画面構成図の例である。
【図５】本発明を適用した被操作履歴記憶手段の記憶内容の例である。
【図６】背景技術で示した操作履歴管理システムの構成図の例である。
【発明を実施するための形態】
【００３４】
本発明の実施例について図１を用いて説明する。図１は、本発明を適用した操作履歴管理システム１００の構成図である。
【００３５】
図１において、操作履歴管理システム１００は、操作履歴管理装置２００、およびこれにネットワーク回線または無線などで接続された操作対象装置３００を備える。
【００３６】
操作履歴管理装置２００は、操作指示手段１１、操作履歴記憶手段１２、操作履歴表示ＧＵＩ手段１３、表示手段１４および復元範囲制御グラフィカルユーザーインターフェース手段２１０（以下、「復元範囲制御ＧＵＩ手段」という）を備える。
【００３７】
操作対象装置３００は、操作処理手段２１、操作スイッチ手段２４、被操作履歴復元手段３１０および被操作履歴記憶手段３２０を備える。
【００３８】
操作履歴管理装置２００は、図６の操作履歴管理装置１０の前回操作履歴復元手段１５の代わりに、復元範囲制御ＧＵＩ手段２１０を備える。
【００３９】
操作対象装置３００は、図６の操作対象装置２０の前回被操作履歴復元手段２３の代わりに、被操作履歴復元手段３１０を備えるとともに、図６の被操作履歴記憶手段２２と異なる項目を記憶する被操作履歴記憶手段３２０を備える。
【００４０】
以下、復元範囲制御ＧＵＩ手段２１０、被操作履歴復元手段３１０および被操作履歴記憶手段３２０を中心に説明する。なお、図６の操作履歴管理システム１と同一の構成要素は同一符号を付し、この説明は省略する。
【００４１】
復元範囲制御ＧＵＩ手段２１０は、操作履歴を表示手段１４に表示させるとともに、ユーザーなどから、表示された操作履歴の中で復元する範囲を指定する外部復元範囲指定信号ＥＸＴＦを受ける。そして、外部復元範囲指定信号ＥＸＴＦに基づいて、指定範囲の中の最古の操作履歴などを、操作対象装置３００の被操作履歴復元手段３１０に送る。
【００４２】
被操作履歴復元手段３１０は、最古の操作履歴などに基づいて、被操作履歴を最古の操作履歴に復元するための信号を被操作履歴記憶手段３２０に送る。
【００４３】
被操作履歴記憶手段３２０は、この復元信号に基づいて、被操作履歴を最古の操作履歴に復元する。なお、被操作履歴記憶手段３２０の記憶項目（内容）は、図５において後述する。
【００４４】
つぎに、図２、３を用いて、操作履歴管理装置２００と操作対象装置３００の動作、操作履歴管理装置２００と操作対象装置３００とを用いた操作履歴管理方法について説明する。
【００４５】
図２は、操作履歴管理装置２００の操作履歴表示ＧＵＩ手段１３および復元範囲制御ＧＵＩ手段２１０の動作フローチャート図である。図３は、操作対象装置３００の被操作履歴復元手段３１０の動作フローチャート図である。
【００４６】
図２のステップＳ１００において、ユーザーなどによって、操作履歴表示ＧＵＩ手段１３が表示手段１４に表示させる画面（以下、「操作履歴表示ＧＵＩ画面」という）が選択された場合、操作履歴表示ＧＵＩ画面が表示される。
【００４７】
操作履歴表示ＧＵＩ画面には、復元範囲制御ＧＵＩ手段２１０が表示手段１４に表示させる画面を起動するためのボタン（起動手段）が表示される。
【００４８】
ステップＳ１０５において、ユーザーなどが起動ボタンを押す（接触する）と、まず、ステップＳ１１０において、操作履歴管理装置２００が管理（接続）している複数の操作対象装置のいずれかを選択する選択画面が表示される。なお、図１において、操作履歴管理装置２００には、複数の操作対象装置が接続されているが、説明を簡単にするために操作対象装置３００以外は図示していない。
【００４９】
図２に戻り、ステップＳ１１５において、ユーザーなどは、ステップＳ１１０において表示される選択画面から、操作履歴を表示したい操作対象装置を選択する。ここでは、操作対象装置３００を選択したものとして説明する。
【００５０】
ステップＳ１２０において、復元範囲制御ＧＵＩ手段２１０が、表示手段１４に表示させる画面（以下、「復元範囲制御ＧＵＩ画面」という）を起動する。
【００５１】
復元範囲制御ＧＵＩ画面について図４を用いて説明する。図４は、復元範囲制御ＧＵＩ画面Ｋ１の起動時の画面構成図であり、操作対象装置３００の操作履歴が表示される。
【００５２】
図４において、上段には、操作対象装置（３００）の型名Ｋ２である「ＹＴＡ（登録商標）」が表示される。
【００５３】
中段には、操作対象装置３００のユーザー名Ｋ３および操作対象装置３００の操作履歴Ｋ４が表示される。操作履歴Ｋ４には、例えば、操作した年月日時を表すＤａｙ＆Ｔｉｍｅおよび操作内容を表すＭｅｓｓａｇｅが表示される。
【００５４】
Ｍｅｓｓａｇｅには、操作（設定変更）された操作対象装置３００のブロック名（パラメータ名）、設定前の値Ｏｌｄ、および設定後の値Ｎｅｗが表示される。
【００５５】
図４では、操作履歴の例として、時系列に、最新の操作履歴Ｋ４ｃ、中間の操作履歴Ｋ４ｂ、最古の操作履歴Ｋ４ａの順に表示されている。なお、最新の操作履歴Ｋ４ｃのＮｅｗの値（Ａ４）は、現在の設定値を表す。
【００５６】
下段には、実行指示手段（実行ボタン）Ｋ５および取消指示手段（キャンセルボタン）Ｋ６が表示される。
【００５７】
ここで、最新の操作履歴Ｋ４ｃの操作内容（Ｎｅｗの値Ａ４）を、最古の操作履歴Ｋ４ａの操作内容（Ｎｅｗの値Ａ２）に復元したい場合、ユーザーなどは、復元範囲制御ＧＵＩ画面Ｋ１において、最古の操作履歴Ｋ４ａをマウスなどでクリックする。
【００５８】
これによって、ユーザーなどは、最新の操作履歴Ｋ４ｃから、クリックされた最古の操作履歴Ｋ４ａまでの復元範囲Ｃを指定し、復元範囲制御ＧＵＩ手段２１０は、この指定を受ける。なお、他の操作履歴（例えば、中間の操作履歴Ｋ４ｂ）をクリックすることにより、復元範囲を変更することができる。
【００５９】
図２に戻り、ステップＳ１２５において、復元範囲制御ＧＵＩ手段２１０は、上述した復元範囲Ｃの指定を受ける（復元範囲の指定を受ける工程）。
【００６０】
そして、ステップＳ１３０において、ユーザーなどが、図４の実行ボタンＫ５を押す（触る）と、ステップＳ１４０に移行する。
【００６１】
なお、ステップＳ１３５において、図４の実行ボタンＫ５ではなくキャンセルボタンＫ６を押す（触る）と、ステップＳ１０５に戻り、復元範囲制御ＧＵＩ画面Ｋ１は閉じられ、操作履歴表示ＧＵＩ画面が表示される。
【００６２】
ステップＳ１４０において、復元範囲制御ＧＵＩ手段２１０は、復元範囲Ｃの中の最古の操作履歴Ｋ４ａ、および復元範囲Ｃの操作を行った操作履歴管理装置２００の識別番号「２００」（第１識別情報）を、操作対象装置３００の被操作履歴復元手段３１０に送る（最古の操作履歴と第１識別情報を送る工程）。
【００６３】
つぎに、最古の操作履歴Ｋ４ａおよび第１識別情報を受け取った被操作履歴復元手段３１０の動作について、図３を用いて説明する。
【００６４】
図３のステップＳ２００において、被操作履歴復元手段３１０が最古の操作履歴Ｋ４ａおよび第１識別情報を受け取り、ステップＳ２０５に移行する。
【００６５】
ここで、操作対象装置３００の被操作履歴記憶手段３２０の記憶内容について図５（ａ）を用いて説明する。図５（ａ）は、図４に示した操作が行われた状態での被操作履歴記憶手段３２０の記憶内容を表している。
【００６６】
図５（ａ）において、被操作履歴記憶手段３２０は、被操作履歴Ｔ４（Ｄａｙ＆Ｔｉｍｅ、Ｍｅｓｓａｇｅ）のほか、操作対象装置３００に対して操作を行った、すなわち被操作履歴Ｔ４の操作を行った操作履歴管理装置の識別番号Ｔ１（第２識別情報）を記憶する。
【００６７】
最新の被操作履歴Ｔ４ｃ、中間の被操作履歴Ｔ４ｂ、最古の被操作履歴Ｔ４ａが時系列に記憶されていて、これらは、それぞれ、図４に示した最新の操作履歴Ｋ４ｃ、中間の操作履歴Ｋ４ｂ、最古の操作履歴Ｋ４ａと同じ内容である。
【００６８】
操作履歴管理装置の識別番号Ｔ１には、操作履歴管理装置２００の識別番号である「２００」が記憶されている。なお、操作履歴管理装置の識別番号Ｔ１は、図６の被操作履歴記憶手段２２には記憶されていない点で、被操作履歴記憶手段３２０と被操作履歴記憶手段２２の記憶内容（項目）は異なる。
【００６９】
図３に戻り、ステップＳ２０５において、被操作履歴復元手段３１０は、最古の操作履歴Ｋ４ａと被操作履歴Ｔ４とを比較する。
【００７０】
まず、被操作履歴復元手段３１０は、最古の操作履歴Ｋ４ａと最新の被操作履歴Ｔ４ｃとを比較する。ステップＳ２１０において両者は一致していないので、ステップＳ２１５に移行し、次の被操作履歴である中間の被操作履歴Ｔ４ｂを被操作履歴記憶手段３２０から取得して、ステップＳ２０５に戻る。
【００７１】
これを繰り返し、最古の操作履歴Ｋ４ａと最古の被操作履歴Ｔ４ａとを比較した場合、両者は一致するので、ステップＳ２２０に移行する。
【００７２】
なお、正確には、操作履歴管理装置２００からの操作処理信号は、所定の通信時間（例えば、数ミリ秒）経過後に、操作対象装置３００の操作処理手段２１に到達する。このため、図４に示した操作履歴Ｋ４のＤａｙ＆Ｔｉｍｅと、図５（ａ）に示した被操作履歴Ｔ４のＤａｙ＆Ｔｉｍｅとは、所定の通信時間の差がある。
【００７３】
このため、ステップＳ２１０において、被操作履歴復元手段３１０は、操作履歴Ｋ４のＤａｙ＆Ｔｉｍｅと被操作履歴Ｔ４のＤａｙ＆Ｔｉｍｅとの差が所定の通信時間以下であれば一致すると判断してもよい。
【００７４】
ステップＳ２２０において、被操作履歴復元手段３１０は、この比較結果（一致）に基づいて、図４に示した復元範囲Ｃと同じである、最新の被操作履歴Ｔ４ｃから最古の被操作履歴Ｔ４ａまでの復元範囲Ｄ１を決定する（被操作履歴の復元範囲を決定する工程）。
【００７５】
ステップＳ２２５おいて、被操作履歴復元手段３１０は、復元範囲Ｄ１における操作履歴管理装置の識別番号Ｔ１（「２００」（第２識別情報））を、被操作履歴記憶手段３２０から取得する。
【００７６】
ステップＳ２３０において、被操作履歴復元手段３１０は、第２識別情報と、ステップＳ２００において復元範囲制御ＧＵＩ手段２１０から受け取った第１識別情報とを比較し、両者とも「２００」であり一致するのでステップＳ２３５に移行する。
【００７７】
ステップＳ２３５において、被操作履歴復元手段３１０は、最新の被操作履歴Ｔ４ｃおよび中間の被操作履歴Ｔ４ｂを、最古の操作履歴Ｋ４ａの操作内容と一致する最古の被操作履歴Ｔ４ａの操作内容（Ｎｅｗの値Ａ２、Ｄａｙ＆Ｔｉｍｅの値ｘ１／ｙ１／ｚ１  ａ１：ｂ１：ｃ１）に復元するための信号を、被操作履歴記憶手段３２０に送る。
【００７８】
被操作履歴記憶手段３２０は、この復元信号に基づいて被操作履歴を復元する（第１識別情報と第２識別情報とが一致する場合、被操作履歴を最古の操作履歴に復元する工程）。
【００７９】
ステップＳ２５０において、復元が完了したのでステップＳ２５５に移行する。ステップＳ２５５において、被操作履歴記憶手段３２０は、復元完了信号を、操作履歴管理装置２００の復元範囲制御ＧＵＩ手段２１０に送る。
【００８０】
つぎに、復元完了信号を受け取った復元範囲制御ＧＵＩ手段２１０の動作について、図２に戻って説明する。
【００８１】
図２のＳ１６０において、復元範囲制御ＧＵＩ手段２１０が復元完了信号を受け取るとステップＳ１６５に移行する。
【００８２】
ステップＳ１６５において、復元範囲制御ＧＵＩ手段２１０は、復元範囲制御ＧＵＩ画面に、復元された被操作履歴（最古の操作履歴Ｋ４ａと同じ内容の最古の被操作履歴Ｔ４ａ）を表示させる。さらに、復元範囲制御ＧＵＩ手段２１０は、図３のステップＳ２３５における被操作履歴の復元動作と同様に、操作履歴記憶手段１２の操作履歴を復元させる。
【００８３】
以上説明した構成および動作によって、ユーザーなどは、復元範囲制御ＧＵＩ画面Ｋ１に表示された操作履歴をクリックし、復元したい範囲（復元範囲Ｃ）を指定することで、復元範囲制御ＧＵＩ手段２１０は、復元範囲Ｃの中の最古の操作履歴Ｋ４ａと第１識別情報とを送り、被操作履歴復元手段３１０は、最古の操作履歴Ｋ４ａと被操作履歴とを比較して一致すれば被操作履歴の復元範囲（復元範囲Ｄ１）を決定する。そして、被操作履歴復元手段３１０は、第１識別情報と第２識別情報とを比較して一致すれば、復元範囲Ｄ１の被操作履歴を最古の操作履歴に復元することができる。
【００８４】
このため、ユーザなどは、操作履歴をクリックし復元範囲Ｃを指定すればよいので、復元するための操作性が良くなり、復元するための工数が短縮できる。
【００８５】
また、ステップＳ１６５において、復元範囲制御ＧＵＩ手段２１０は、復元範囲制御ＧＵＩ画面に、復元された被操作履歴を表示させることによって、ユーザーなどは、操作履歴管理装置２００の表示画面で、容易に復元された状態（復元値）を確認でき、操作対象装置３００のメンテナンスをすることができる。
【００８６】
なお、図４において、操作履歴として、最新の操作履歴Ｋ４ｃ、中間の操作履歴Ｋ４ｂ、最古の操作履歴Ｋ４ａを表示しているが、これ以上の数の操作履歴を表示していても、上述した動作は可能である。
【００８７】
つぎに、図３に戻り、ステップＳ２３０において、第１識別情報と第２識別情報とが一致せず、ステップＳ２４０に移行する場合について説明する。
【００８８】
これは、操作対象装置３００の被操作履歴記憶手段３２０の記憶内容が図５（ａ）ではなく、図５（ｂ）の場合に起こるので、以下、被操作履歴記憶手段３２０の記憶内容は、図５（ｂ）であることを前提に説明する。このため、まず、図５（ｂ）について説明する。
【００８９】
図５（ｂ）は、操作対象装置３００が、操作履歴管理装置２００から操作された後に、別の操作履歴管理装置２０１（図示しない）から操作された場合の被操作履歴記憶手段３２０の記憶内容を表す。
【００９０】
図５（ｂ）において、最古の被操作履歴Ｔ５ａ、中間の被操作履歴Ｔ５ｂ、中間の被操作履歴Ｔ５ｃは、操作履歴管理装置２００から操作されたものであり、これらは時系列に記憶されて、それぞれ、図５（ａ）の最古の被操作履歴Ｔ４ａ、中間の被操作履歴Ｔ４ｂ、最新の被操作履歴Ｔ４ｃと同じ内容である。
【００９１】
一方、最新の被操作履歴Ｔ５ｄは、操作履歴管理装置２０１（図示しない）から操作されたものなので、操作履歴管理装置の識別番号Ｔ１（第２識別情報）には、操作履歴管理装置２０１の識別番号である「２０１」が記憶されている。
【００９２】
この場合、操作履歴管理装置２００は、操作履歴管理装置２０１（図示しない）による操作（最新の被操作履歴Ｔ５ｄ）に関係しないので、被操作履歴記憶手段３２０の記憶内容と操作履歴管理装置２００の操作履歴記憶手段１２の記憶内容とは一致していない。具体的に、操作履歴記憶手段１２には、最新の被操作履歴Ｔ５ｄに対応する操作履歴は記憶されていない。
【００９３】
なお、図示したように、最新の被操作履歴Ｔ５ｄから最古の被操作履歴Ｔ５ａまでの復元範囲Ｄ２が、図３のステップＳ２０５〜Ｓ２２０において決定される。
【００９４】
現在、操作対象装置３００には操作履歴管理装置２００が接続されている。このため、図３のステップＳ２３０において、被操作履歴復元手段３１０は、ステップＳ２００において復元範囲制御ＧＵＩ手段２１０から受け取った操作履歴管理装置２００の識別番号「２００」（第１識別情報）と、最新の被操作履歴Ｔ５ｄの識別番号Ｔ１の「２０１」（第２識別情報）とを比較し、両者は一致しないのでステップＳ２４０に移行する。
【００９５】
ステップＳ２４０において、被操作履歴復元手段３１０は、第１識別情報と第２識別情報とが一致しないことを表す不一致信号を、操作履歴管理装置２００の復元範囲制御ＧＵＩ手段２１０に送る（不一致信号を操作履歴管理装置に送る工程）。
【００９６】
そして、図２に移りステップＳ１４５において、復元範囲制御ＧＵＩ手段２１０は、不一致信号を受け取りステップＳ１５０に移行する。
【００９７】
ステップＳ１５０において、復元範囲制御ＧＵＩ画面には、「続行」、「再範囲選択」、「キャンセル」のいずれかの処理を選択する画面が表示される。
【００９８】
ステップＳ１５５において、ユーザーなどが「続行」を選択した場合、復元範囲制御ＧＵＩ手段２１０は、復元指示信号（不一致信号に基づく信号）を、操作対象装置３００の被操作履歴復元手段３１０に送る。
【００９９】
図３に戻り、ステップＳ２４５において、被操作履歴復元手段３１０は復元指示信号を受け取り、復元指示信号（「続行」）に応じてステップＳ２３５に移行する。
【０１００】
ステップＳ２３５において、被操作履歴復元手段３１０は、最新の被操作履歴Ｔ５ｄ、中間の被操作履歴Ｔ５ｃおよび中間の被操作履歴Ｔ５ｂを、最古の操作履歴Ｋ４ａの操作内容と一致する最古の被操作履歴Ｔ５ａの操作内容（Ｎｅｗの値Ａ２、Ｄａｙ＆Ｔｉｍｅの値ｘ１／ｙ１／ｚ１  ａ１：ｂ１：ｃ１）に復元するための信号を、被操作履歴記憶手段３２０に送る。
【０１０１】
被操作履歴記憶手段３２０は、この復元信号に基づいて被操作履歴を復元する（復元指示信号に応じて被操作履歴を最古の操作履歴に復元する工程）。
【０１０２】
このように、被操作履歴復元手段３１０は、復元指示信号に応じて、復元範囲Ｄ２の被操作履歴を最古の操作履歴に復元する。これによって、操作対象装置３００が、操作履歴管理装置２００とは別の操作履歴管理装置２０１によって操作された場合でも、操作履歴管理装置２００の操作履歴記憶手段１２の記憶内容は、操作対象装置３００の被操作履歴記憶手段３２０の記憶内容と一致する。具体的に、操作履歴記憶手段１２と被操作履歴記憶手段３２０の記憶内容は、いずれも最古の操作履歴Ｋ４ａ（＝最古の被操作履歴Ｔ５ａ）となり一致する。
【０１０３】
このように記憶内容が一致するので、操作履歴管理装置２００は、操作対象装置３００の被操作履歴を一元的に管理して、復元することができる。
【０１０４】
つぎに、図２に戻り、ステップＳ１５５において、ユーザーなどが復元範囲制御ＧＵＩ画面Ｋ１において、「キャンセル」を選択した場合について説明する。この場合、復元範囲制御ＧＵＩ手段２１０は、復元指示信号を操作対象装置３００に送らない。
【０１０５】
そして、ステップＳ１５７に移行し、復元範囲制御ＧＵＩ手段２１０は、図４の復元範囲制御ＧＵＩ画面Ｋ１を閉じ、ステップＳ１０５に戻り、操作履歴表示ＧＵＩ画面が表示される。
【０１０６】
また、ステップＳ１５５において、ユーザーなどが「再範囲選択」を選択した場合、ステップＳ１１５に戻り、図４の操作履歴表示ＧＵＩ画面Ｋ１において、再度、復元範囲Ｃを指定でき、上述した操作対象装置３００の被操作履歴の復元を行うことができる。
【０１０７】
このように、復元範囲制御ＧＵＩ手段２１０は、復元指示信号を操作対象装置３００に送らないで復元範囲制御ＧＵＩ画面Ｋ１を閉じる。そして、操作履歴表示ＧＵＩ画面が表示された後、指定された復元範囲Ｃに基づいて被操作履歴が復元できる。このため、ユーザーなどは、再度、操作対象装置３００の被操作履歴の復元、または他の操作対象装置の被操作履歴の復元を容易に行えて、操作対象装置のメンテナンスをすることができる。
【０１０８】
なお、操作履歴管理装置２００は、汎用のコンピュータ、携帯電話、ＰＤＡ（Ｐｅｒｓｏｎａｌ  Ｄｉｇｉｔａｌ  Ａｓｓｉｓｔａｎｔ）などを用いて、所定のプログラムによって復元範囲制御ＧＵＩ手段２１０などの各手段を実現してもよい。
【０１０９】
また、操作指示手段１１、操作履歴表示ＧＵＩ手段１３、復元範囲制御ＧＵＩ手段２１０、操作処理手段２１および被操作履歴復元手段３１０は、プログラムを実行するＣＰＵなどのプロセッサによって実現されてもよく、論理回路などによって実現されてもよい。
【０１１０】
なお、本発明は、前述の実施例に限定されることなく、その本質を逸脱しない範囲で、さらに多くの変更および変形を含む。また、前述した各部の組み合わせ以外の組み合わせを含むことができる。
【符号の説明】
【０１１１】
１１  操作指示手段
１２  操作履歴記憶手段
１３  操作履歴表示ＧＵＩ手段
１４  表示手段
２１  操作処理手段
１００  操作履歴管理システム
２００  操作履歴管理装置
２１０  復元範囲制御ＧＵＩ手段
３００  操作対象装置
３１０  被操作履歴復元手段
３２０  被操作履歴記憶手段
【図１】
2010211775.tif 000003
【図２】
2010211775.tif 000004
【図３】
2010211775.tif 000005
【図４】
2010211775.tif 000006
【図５】
2010211775.tif 000007
【図６】
2010211775.tif 000008